(57)【特許請求の範囲】
【請求項１】
始端部より終端に向けて育苗箱を移送する移送台の上方位置に設けた、床土繰出ベルト１より供給した育苗箱の床土上面を均平する横軸回転の回転均平ブラシ１０には、該回転均平ブラシ１０の回転下降側の外周にスクレーパ１５の接触部１６を接触させ、スクレーパ１５は前後幅の狭い前記接触部１６の左右側に前後方向の取付板部１７を設け該取付板部１７に固定した取付軸１８を軸装して取付け、前記取付板部１７には後方に突き出し、かつ、前記床土繰出ベルト１の左右端部と回転均平ブラシ１０との重合部分および回転均平ブラシ１０の左右端面よりも外側にまで位置するカバー部２２を設けた床土供給装置。
【請求項２】
請求項１において、前記床土繰出ベルト１は前側ローラ２と後側ローラ３に掛け回し、前記後側ローラ３側に繰出口４を形成し、前記回転均平ブラシ１０は前記前側ローラ２と平面視重合するようにした床土供給装置。
【請求項３】
請求項１または請求項２において、前記取付軸１８は蝶ナット１９により回転状態と固定状態とになるようにした床土供給装置。
【発明の詳細な説明】
【０００１】
【産業上の利用分野】
本発明は、床土供給装置に係るものであり、特に、床土供給装置のブラシ用スクレーパに係るものである。
【０００２】
【従来技術】
従来、床土供給装置の均平用の回転均平ブラシにスクレーパを設けたものは公知である。
また、従来、回転均平ブラシの外周にカバーを設けたものも公知である。
【０００３】
【発明が解決しようとする課題】
前記公知例は、単に回転均平ブラシ中の土粒を除去させるものであり、飛散を防止するものではなかった。また、回転均平ブラシの外周のカバーは単に土の飛散を防止するだけのものであり、狭い床土供給装置の前側ローラの下方に回転均平ブラシを設けることはできなかった。
また、図４のように、湿った土の場合、土粒にブラシ先端が刺さり、ブラシの外周に土塊が付着して、均平できないこともある。
【０００４】
【発明の目的】
均平ブラシ中の土粒を除去、槌の飛散防止、全体の小型化。
【０００５】
【課題を解決するための手段】
本発明は、始端部より終端に向けて育苗箱を移送する移送台の上方位置に設けた、床土繰出ベルト１より供給した育苗箱の床土上面を均平する横軸回転の回転均平ブラシ１０には、該回転均平ブラシ１０の回転下降側の外周にスクレーパ１５の接触部１６を接触させ、スクレーパ１５は前後幅の狭い前記接触部１６の左右側に前後方向の取付板部１７を設け該取付板部１７に固定した取付軸１８を軸装して取付け、前記取付板部１７には後方に突き出し、かつ、前記床土繰出ベルト１の左右端部と回転均平ブラシ１０との重合部分および回転均平ブラシ１０の左右端面よりも外側にまで位置するカバー部２２を設けた床土供給装置としたものである。
本発明は、前記床土繰出ベルト１は前側ローラ２と後側ローラ３に掛け回し、前記後側ローラ３側に繰出口４を形成し、前記回転均平ブラシ１０は前記前側ローラ２と平面視重合するようにした床土供給装置としたものである。
本発明は、前記取付軸１８は蝶ナット１９により回転状態と固定状態とになるようにした床土供給装置としたものである。
【０００６】
【実施例】
本発明の一実施例を図により説明すると、１は床土供給装置の床土繰出ベルト１であり、前側ローラ２と後側ローラ３に掛け回され、図示は省略するが下方を移送中の育苗容器に床土を供給する。４は繰出口であり、後側ローラ３側に形成される。
【０００７】
前記床土供給装置は、公知のものであり、前記床土繰出ベルト１の上方に床土供給ホッパーを設けている。
前記繰出口４より育苗箱移送方向下手側（前側）には回転均平ブラシ１０を設ける。回転均平ブラシ１０は横軸駆動回転であり、その回転軸１１を側板１２に高さ調節自在に軸装する。
【０００８】
回転均平ブラシ１０にはスクレーパ１５を設ける。スクレーパ１５は前記回転均平ブラシ１０の回転下降側の回転均平ブラシ１０の外周に接触する接触部１６を前記回転均平ブラシ１０の左右幅より長く形成し、接触部１６の左右側には取付板部１７を連設する。実施例では取付板部１７に対して接触部１６を略直角に屈曲させている。前記取付板部１７の前後中間位置には側方に突き出す取付軸１８を固定し、取付軸１８の両端は側板１２より突出させると共に蝶ナット１９を取付け、蝶ナット１９を緩めると取付軸１８は側板１２に対して回転してスクレーパ１５を取付軸１８中心に回動させて調節し、次に蝶ナット１９閉めると、固定される。
この場合、通常の土作業中は、スクレーパ１５を取付軸１８中心に回動させて接触部１６より退避させ、ブラシ先端に土粒が付着したとき、接触部１６を当接させて、付着土を除去するように、切替え使用もでき、切替え使用すると、接触部１６を退避させることにより、ブラシの弾性を維持できて耐久性を向上させる。
【０００９】
前記各取付板部１７には後方に突き出し、かつ、後側に至に従い低く傾斜するカバー部２２を夫々設ける。カバー部２２は前記前側ローラ２の左右端面よりも平面視外側に位置し、かつ、回転均平ブラシ１０の左右端面よりも外側に位置させる。
即ち、カバー部２２は回転均平ブラシ１０が掃き飛ばした土が床土繰出ベルト１の側部より中に入るのを防止するものであり、前記前側ローラ２の左右端部と回転均平ブラシ１０との重合部分および回転均平ブラシ１０の左右端面よりも外側にまで位置させればよく、中央部分は不要である。
なお、平面視、前側ローラ２と回転均平ブラシ１０は上下に重合する位置であると、全体を短く配置でき、好適である。
しかして、図３は第二実施例であり、前記接触部１６を所望のぎざぎざ形状にしたものである。
【００１０】
【作用】
次に作用を述べる。
前側ローラ２および後側ローラ３を回転させ、床土繰出ベルト１を移動させると、繰出口４より床土を落下させて繰出し、下方移動する育苗箱に供給する。
この床土の供給は、多めに行われ、その後回転均平ブラシ１０により余分な土を除去して上面を均平する。
【００１１】
回転均平ブラシ１０は、回転して土を後方に飛ばすが、ブラシの中に土粒が入ることがあり、連続作業の妨げになる。
本発明では、回転均平ブラシ１０の外周にスクレーパ１５の接触部１６を接触させているから、土粒を除去できる。
スクレーパ１５は幅の狭い左右方向の接触部１６の両端に取付板部１７を連設し、取付板部１７に固定した取付軸１８により軸装したから、構造簡単で、コストを低くする。
【００１２】
左右両側の取付板部１７には、後方に突き出し、かつ、後側に至に従い低く傾斜するカバー部２２を夫々設け、カバー部２２は前記前側ローラ２（床土繰出ベルト１）の左右端面よりも平面視外側に位置し、かつ、回転均平ブラシ１０の左右端面よりも外側に位置させているから、回転均平ブラシ１０が回転して後方に掃き飛ばした土は、カバー部２２の下面に落下し、床土繰出ベルト１の左右側に床土が飛散するのを防止し、床土繰出ベルト１の回転を確実にする。
【００１３】
したがって、平面視、前側ローラ２と回転均平ブラシ１０は上下に重合する位置にすることができ、移送台の全長をコンパクトにすることができる。
【００１４】
【効果】
本発明は、始端部より終端に向けて育苗箱を移送する移送台の上方位置に設けた、床土繰出ベルト１より供給した育苗箱の床土上面を均平する横軸回転の回転均平ブラシ１０には、該回転均平ブラシ１０の回転下降側の外周にスクレーパ１５の接触部１６を接触させ、スクレーパ１５は前後幅の狭い前記接触部１６の左右側に前後方向の取付板部１７を設け該取付板部１７に固定した取付軸１８を軸装して取付け、前記取付板部１７には後方に突き出し、かつ、前記床土繰出ベルト１の左右端部と回転均平ブラシ１０との重合部分および回転均平ブラシ１０の左右端面よりも外側にまで位置するカバー部２２を設けた床土供給装置としたものであるから、土粒を除去でき、構造簡単で、コストを低くでき、回転均平ブラシ１０が回転して後方に掃き飛ばした土は、カバー部２２の下面により落下し、床土繰出ベルト１の左右側に床土が飛散するのを防止し、床土繰出ベルト１の回転を確実にでき、それゆえ、平面視、前側ローラ２と回転均平ブラシ１０を上下に重合する位置にすることができ、移送台の全長をコンパクトにできる効果を奏する。
本発明は、前記床土繰出ベルト１は前側ローラ２と後側ローラ３に掛け回し、前記後側ローラ３側に繰出口４を形成し、前記回転均平ブラシ１０は前記前側ローラ２と平面視重合するようにした床土供給装置としたものであるから、前側ローラ２と回転均平ブラシ１０を上下に重合する位置にすることができ、回転均平ブラシ１０を床土供給装置の側板１２に取付けて一体にすることもでき、組立・取付を容易にして、コスト低くでき、全体をコンパクトにできる効果を奏する。
本発明は、前記取付軸１８は蝶ナット１９により回転状態と固定状態とになるようにした床土供給装置としたものであるから、調節を容易にできるばかりでなく、通常作業中は、スクレーパ１５を回転均平ブラシ１０より退避させ、ブラシ先端に土粒が付着したとき当接させて付着土を除去でき、ブラシの弾性を維持できて耐久性を向上させる。
【図面の簡単な説明】
【図１】  側面図。
【図２】  平面図。
【図３】  第２実施例の斜視図。
【図４】  土付着状態説明図。
【符号の説明】
【符号の説明】
１…床土繰出ベルト、２…前側ローラ、３…後側ローラ、４…繰出口、１０…回転均平ブラシ、１１…回転軸、１２…側板、１５…スクレーパ、１６…接触部、１７…取付板部、１８…取付軸、１９…蝶ナット。
【図１】
0003863648.tif 000002
【図２】
0003863648.tif 000003
【図３】
0003863648.tif 000004
【図４】
0003863648.tif 000005